(57)【特許請求の範囲】
【請求項１】
待ち受け状態における間欠受信時以外の期間、間欠受信制御処理に不要なブロックの電源をオフするようにした携帯端末装置において、
電源が常時オンになっている非制御電源グループに属し、自群着信判定に必要な第１のブロックを含む第１の制御電源グループの電源を間欠受信動作時にオンし、間欠受信動作以外のときにオフさせるような第１の制御信号を出力するタイマ手段と、
前記タイマ手段からの前記第１の制御信号によって前記第１の制御電源グループの電源をオン・オフ制御する第１の電源スイッチ手段と、
前記第１の制御電源グループに属し、前記第１のブロックにより自群着信が発生したかどうかを判定した結果に応じて着信処理に必要な第２のブロックを含む第２の制御電源グループの電源をオン・オフさせるような第２の制御信号を出力する着信判定手段と、
前記着信判定手段からの前記第２の制御信号によって前記第２の制御電源グループの電源をオン・オフ制御する第２の電源スイッチ手段と、
を備えており、
前記第１のブロックは受信データを復調処理するモデム部であり、前記第２のブロックは前記モデム部で復調されたデータを復号処理するチャネルコーデック部と、前記チャネルコーデック部とともに協調動作をするプロセッサを含んでおり、前記チャネルコーデック部は、前記第２の制御電源グループの電源オン後の前記プロセッサのブート処理中に、前記モデム部で復調された受信データに対して前記チャネルコーデック部が行う前記復号処理の前処理となるデータ処理のために前記モデム部で予め用意されたデータ受信用のパラメータを参照し、前記プロセッサのブート処理完了後に前記プロセッサから、前記データ受信用のパラメータに応じて前記データ処理された受信データに対して前記チャネルコーデック部と前記プロセッサとの前記協調動作により行われる前記復号処理のためのパラメータを参照するように切り替えるパラメータ選択手段を備えていることを特徴とする携帯端末装置。
【請求項２】
前記非制御電源グループ、前記第１の制御電源グループ、前記第２の制御電源グループ、前記第１の電源スイッチ手段および前記第２の電源スイッチ手段は、広帯域符号分割多元接続用ベースバンド大規模集積回路に含まれていることを特徴とする請求項１記載の携帯端末装置。
【請求項３】
前記パラメータ選択手段は、前記チャネルコーデック部での処理に必要な前記プロセッサからの前記復号処理のためのパラメータを格納するパラメータ設定レジスタと、前記モデム部の前記データ受信用のパラメータを参照するか前記パラメータ設定レジスタの前記復号処理のためのパラメータを参照するかを選択するセレクタ部と、前記セレクタ部の参照先を制御するパラメータ参照先設定部とを有することを特徴とする請求項１記載の携帯端末装置。
【発明の詳細な説明】
【技術分野】
【０００１】
本発明は携帯端末装置に関し、移動通信システム、特に広帯域符号分割多元接続（Ｗ−ＣＤＭＡ：Wideband Code Division Multiple Access）方式におけるベースバンドＬＳＩ（Large-Scale Integration）回路のように通話していないときの待ち受け動作状態のときに内部の一部の電源を周期的にオン・オフして低消費電力を実現している半導体装置を用いた携帯端末装置に関する。
【背景技術】
【０００２】
近年、ＬＳＩの製造プロセスの微細化が進み、トランジスタのゲート配線の幅が０．１０μｍに迫るようになってきている。その微細化は、それに伴ってトランジスタの実装密度が増加するが、その反面、ＬＳＩの動作に必要なしきい値電圧を下げることが要求され、その結果、待機時にトランジスタ間のリーク電流が大きくなる、つまり、回路が動作状態でなくても電源をオンにするだけで流れてしまう電流が増えるという本質的な問題を抱えている。携帯電話のようなバッテリで駆動される携帯端末装置では、使用時以外でも常に待機状態を保っているため、このリーク電流の増加は、連続通話時間および待ち受け時間を短くしてしまうという実用上非常に大きな影響を与えることになる。
【０００３】
図９はＷ−ＣＤＭＡ通信方式における間欠受信の動作を示すフローチャート、図１０は間欠受信動作の制御タイミングを示すタイミングチャートである。
Ｗ−ＣＤＭＡ通信方式において基地局からの携帯端末装置の呼び出しは以下のようにして行われる。
【０００４】
まず、待ち受け状態では、携帯端末装置のモデム部のハードウェアＭＨＷおよびそのプロセッサ（ＤＳＰ：Digital Signal Processor）ＭＤＳＰとチャネルコーデック部のハードウェアＣＨＷおよびそのプロセッサＣＤＳＰとは、それらの電源がオフ（スリープ状態）とオン（スリープ解除状態）とが図１０に示したように、たとえば１．２秒毎に周期的に繰り返し実行され、電源がオンのときに間欠受信が行われる。
【０００５】
ここで、携帯端末装置がスリープ状態にあって（ステップＳ１）、このスリープ状態から間欠受信を開始する場合、まず、モデム部およびチャネルコーデック部の電源がオンされ（ステップＳ２）、チャネルコーデック部のプロセッサＣＤＳＰはブート処理を開始する（ステップＳ３）。次に、モデム部は、呼び出しインジケータチャネルＰＩＣＨ（Paging Indicator Channel）の受信を行う（ステップＳ４）。この呼び出しインジケータチャネルＰＩＣＨは、位置登録を行っている基地局から自基地局セル内のいずれかの携帯端末装置に着信がある（自群着信）ことを知らせるために送られてくる呼び出しインジケータ転送用のチャネルである。次に、モデム部は、自群着信があるかどうかを判定する（ステップＳ５）。この判定結果は、チャネルコーデック部のハードウェアＣＨＷおよびそのプロセッサＣＤＳＰにも通知される。
【０００６】
自群着信がないと判断された場合には、モデム部をスリープ状態にするとともに、チャネルコーデック部のハードウェアＣＨＷおよびそのプロセッサＣＤＳＰでも、判定結果を受けて、それらをスリープ状態にする（ステップＳ６，７）。もし、自群着信がないと判断された場合は、モデム部は、その直後（約２ミリ秒弱後）に送信される呼び出しチャネルＰＣＨ（Paging Channel）を受信し（ステップＳ８）、その呼び出しチャネルＰＣＨにより、自群着信が自分の携帯端末装置への呼び出しかどうか判断できるようになっている。その後、その呼び出しチャネルＰＣＨのデータは、チャネルコーデック部のハードウェアＣＨＷに転送され、ハードウェアＣＨＷでは、呼び出しチャネルＰＣＨのデータを格納する（ステップＳ９）。一方、チャネルコーデック部のプロセッサＣＤＳＰは、自群着信があったと判断された後、復号パラメータの設定を行っており（ステップＳ１０）、チャネルコーデック部のハードウェアＣＨＷは、プロセッサＣＤＳＰが設定した復号パラメータを使って呼び出しチャネルＰＣＨの復号を行う（ステップＳ１１）。
【０００７】
このように、呼び出しインジケータチャネルＰＩＣＨは、復調処理（逆拡散、検波）さえ行えば単純に判定できる物理チャネルであるのに対し、呼び出しチャネルＰＣＨにはさらにビット入れ替えや誤り訂正符号がかかっているため、それらを復号する処理を行う必要がある。
【０００８】
この着信チェックの処理において、呼び出しインジケータチャネルＰＩＣＨの復調処理は、通話中以外（待ち受け中）は常に間欠的に（１．２秒に１回）行われている。そして、従来のベースバンドＬＳＩにおいては、この間欠受信以外の時間では、ＬＳＩの電源はオフ（スリープ状態）にされていて、間欠受信時（スリープ解除時）には、着信の有無に拘らず全回路が電源オンされている。
【発明の開示】
【発明が解決しようとする課題】
【０００９】
しかし、Ｗ−ＣＤＭＡでは、通信方式が複雑なため従来に比べて回路規模が格段に大きくなっているため、低消費電力化がより困難になっているという問題点があった。
それに加え、近年のＬＳＩ製造プロセスの微細化により、従来のプロセスでは動作電流に比べ問題にならなかったリーク電流が大きくなり、低消費電力化への障害になっている。
【００１０】
そのため、間欠受信時（スリープ解除時）に着信の有無に拘らず全回路が電源オンする従来の技術では、着信なしの場合には本来動作をさせる必要のない回路にもこのリーク電流が流れてしまい、消費電流が大きくなり、連続通話時間および待ち受け時間が短くなってしまうという問題点があった。
【００１１】
本発明はこのような点に鑑みてなされたものであり、必要のない回路動作をなくしてリーク電流による電力消費を抑えた携帯端末装置を提供することを目的とする。
【課題を解決するための手段】
【００１２】
上記目的を達成するために、待ち受け状態における間欠受信時以外の期間、間欠受信制御処理に不要なブロックの電源をオフするようにした以下のような携帯端末装置が提供される。
【００１３】
この携帯端末装置は、電源が常時オンになっている非制御電源グループに属し、自群着信判定に必要な第１のブロックを含む第１の制御電源グループの電源を間欠受信動作時にオンし、間欠受信動作以外のときにオフさせるような第１の制御信号を出力するタイマ手段と、前記タイマ手段からの前記第１の制御信号によって前記第１の制御電源グループの電源をオン・オフ制御する第１の電源スイッチ手段と、前記第１の制御電源グループに属し、前記第１のブロックにより自群着信が発生したかどうかを判定した結果に応じて着信処理に必要な第２のブロックを含む第２の制御電源グループの電源をオン・オフさせるような第２の制御信号を出力する着信判定手段と、前記着信判定手段からの前記第２の制御信号によって前記第２の制御電源グループの電源をオン・オフ制御する第２の電源スイッチ手段と、を備えており、前記第１のブロックは受信データを復調処理するモデム部であり、前記第２のブロックは前記モデム部で復調されたデータを復号処理するチャネルコーデック部と、前記チャネルコーデック部とともに協調動作をするプロセッサを含んでおり、前記チャネルコーデック部は、前記第２の制御電源グループの電源オン後の前記プロセッサのブート処理中に、前記モデム部で復調された受信データに対して前記チャネルコーデック部が行う前記復号処理の前処理となるデータ処理のために前記モデム部で予め用意されたデータ受信用のパラメータを参照し、前記プロセッサのブート処理完了後に前記プロセッサから、前記データ受信用のパラメータに応じて前記データ処理された受信データに対して前記チャネルコーデック部と前記プロセッサとの前記協調動作により行われる前記復号処理のためのパラメータを参照するように切り替えるパラメータ選択手段を備えている。
【発明の効果】
【００１４】
本発明では、携帯端末装置の内部をブロック化し、各ブロックを、電源が常時オンになっている非制御電源グループと、単独に電源がオン・オフできる複数の制御電源グループとにグループ分けし、処理順に従って制御電源グループ別に電源をオン・オフ制御するように構成した。このため、Ｗ−ＣＤＭＡ通信方式におけるベースバンドＬＳＩの適用の場合、間欠受信時の制御にオンチップの電源制御を加えることで、間欠受信時（スリープ解除時）に、まずはモデム部のみを電源オンしておき、呼び出しインジケータチャネルを復調し、着信判定した後、着信があった場合にのみチャネルコーデック部の電源をオンし、着信がなかった場合にはチャネルコーデック部は電源オフのままにしておくことができる。間欠受信において、自群着信がなかった場合、チャネルコーデック部は、電源をオフにしておくため、まったく電流が流れない。そのため待ち受け時の消費電力が低下し、待ち受け時間を長くすることが可能になる。
【発明を実施するための最良の形態】
【００１５】
まず、本発明の概略について図面を参照して説明する。
以下では、本実施の形態の携帯端末装置に用いられる半導体装置を説明する。
図１は、本実施の形態の携帯端末装置に用いられる半導体装置の概略の構成を示す図である。
【００１６】
半導体装置１は、機能別にブロック化され、さらにブロックの電源系統を、電源が常時オンになっている非制御電源グループ２と、それぞれ単独に電源がオン・オフできる制御電源グループ３1〜３nとにグループ分けしている。
【００１７】
非制御電源グループ２には、この半導体装置１の全体を制御するＣＰＵ（Central Processing Unit）４と、電源系統制御手段５とが含まれている。この電源系統制御手段５は、制御電源グループ３1〜３nの少なくとも１つの電源系統をオンおよびオフさせるタイミングを制御するブロックである。
【００１８】
第１ないし第ｎ−１の制御電源グループ３1〜３n-1は、自グループ内の処理を行う第１ないし第ｎ−１の処理手段６1〜６n-1と、この第１ないし第ｎ−１の処理手段６1〜６n-1による処理の結果、別のグループに属するブロックによる処理が必要かどうかを判断する第１ないし第ｎ−１の次処理要否判断手段７1〜７n-1とを有している。そして、第ｎの制御電源グループ３nには、第ｎの処理手段６nだけが含まれている。
【００１９】
この半導体装置１において、非制御電源グループ２は、外部の電源に直接接続され、第１ないし第ｎの制御電源グループ３1〜３nは、それぞれ電源スイッチ手段８1〜８nを介して外部の電源に接続される。
【００２０】
第１の電源スイッチ手段８1は、非制御電源グループ２の電源系統制御手段５によってオン・オフが制御される。第１の制御電源グループ３1に含まれる第１の次処理要否判断手段７1は、次段の制御電源グループの電源系統を制御する電源スイッチ手段をオン・オフ制御するよう接続され、次段以降の制御電源グループについても、同じような接続構成にされている。そして、第ｎ−１の制御電源グループ３n-1に含まれる第ｎ−１の次処理要否判断手段７n-1は、第ｎの制御電源グループ３nの電源系統を制御する電源スイッチ手段８nをオン・オフ制御するよう接続されている。
【００２１】
以上の構成の半導体装置１において、常時電源がオンになっている非制御電源グループ２の電源系統制御手段５は、第１の制御電源グループ３1の第１の処理手段６1による処理が必要になった時点で、第１の制御電源グループ３1の電源系統をオンさせる制御信号を出力し、第１の処理手段６1による処理が不要になった時点で、第１の制御電源グループ３1の電源系統をオフさせる制御信号を出力する。
【００２２】
ここで、第１ないし第ｎの制御電源グループ３1〜３nが電源オフされてスリープ状態にあるときに、電源系統制御手段５が電源オンの制御信号を出力すると、電源スイッチ手段８1がオンされ、第１の制御電源グループ３1に電源が供給されてこの第１の制御電源グループ３1はスリープ解除状態になる。これにより、第１の処理手段６1が間欠動作の処理を開始する。その処理の結果、第１の次処理要否判断手段７1が次の処理を必要としないと判断した場合、所定時間後に発生する電源系統制御手段５の電源オフの制御信号によって電源スイッチ手段８1がオフされ、制御電源グループ３1はスリープ状態に戻る。
【００２３】
もし、第１の処理手段６1による間欠動作の処理の結果、第１の次処理要否判断手段７1が次の処理を必要とすると判断した場合には、第１の次処理要否判断手段７1が電源オンの制御信号を出して、次の制御電源グループをスリープ解除状態にして処理を開始させるようにする。
【００２４】
このようにして処理開始されたある制御電源グループの処理手段の処理の結果、次の処理を必要としない場合は、そこで、処理が中断され、そこまでの処理の流れで、スリープ状態が解除されて個々に処理していたすべての制御電源グループの電源がオフされ、スリープ状態に戻される。
【００２５】
このように、半導体装置１の中で段階的に処理が引き継がれていく場合に、処理が必要とされる電源グループまで電源をオンし、それ以降の電源グループは電源をオフするように構成した。これにより、処理の必要のないブロックは、電源がオンしないので、そのブロックにはリーク電流が発生せず、したがってリーク電流による消費を最小に抑えることができる。
【００２６】
なお、図示の例では、電源スイッチ手段８1〜８nは、半導体装置１の外に設けてあるが、半導体装置１の内部に一体に搭載するようにしてもよい。この場合、１つの機能の制御電源グループの回路規模が大きい場合、１つの電源スイッチ手段に大電流が集中するのを防止するため、その制御電源グループを複数に分割し、複数の制御電源グループに個々に接続した電源スイッチ手段を電源系統制御手段５または次処理要否判断手段が同時に制御するような構成にしてもよい。
【００２７】
次に、本発明の実施の形態を、Ｗ−ＣＤＭＡ用ベースバンドＬＳＩに適用した場合を例にして説明する。
図２は第１の実施の形態に係るベースバンドＬＳＩの要部構成例を示すブロック図である。
【００２８】
ベースバンドＬＳＩ１０は、全体を制御するＣＰＵ１１および間欠受信のタイミングを制御するタイマ部１２を備え、これらＣＰＵ１１およびタイマ部１２は、電源が常時オンになっている電源グループＡに属している。
【００２９】
ベースバンドＬＳＩ１０は、また、モデム部を備えている。このモデム部は、受信部１９から入力された受信信号を復調するモデムハードウェア部１３およびこのモデムハードウェア部１３とともに協調動作（制御）するモデムプロセッサ部１４を有し、間欠受信時に電源がオンされる電源グループＢに属している。ここで、モデムハードウェア部１３は、呼び出しインジケータチャネルＰＩＣＨを復調処理するＰＩＣＨ復調部１３ａと呼び出しチャネルＰＣＨを復調処理するＰＣＨ復調部１３ｂとを有し、モデムプロセッサ部１４は、着信判定部１４ａを有している。
【００３０】
ベースバンドＬＳＩ１０は、さらに、チャネルコーデック部を備えている。このチャネルコーデック部は、モデムハードウェア部１３からのデータを復号するチャネルコーデックハードウェア部１５およびこのチャネルコーデックハードウェア部１５とともに協調動作（制御）するチャネルコーデックプロセッサ部１６を有し、着信時に初めて電源がオンされる電源グループＣに属している。チャネルコーデックハードウェア部１５は、呼び出しチャネルＰＣＨを復号処理するＰＣＨ復号部１５ａを有している。
【００３１】
電源グループＡの電源系統は、外部の電源（バッテリ）に直接接続され、電源グループＢの電源系統は、電源スイッチ１７を介して外部の電源に接続され、電源グループＣ、電源スイッチ１８を介して外部の電源に接続されている。電源スイッチ１７は、電源グループＡのタイマ部１２からの制御信号によってオン・オフ制御するよう構成され、電源スイッチ１８は、モデムプロセッサ部１４の着信判定部１４ａからの制御信号によってオン・オフ制御するよう構成される。
【００３２】
さらに、モデムハードウェア部１３は、チャネルコーデックハードウェア部１５に対して、チャネルコーデックプロセッサ部１６がブートするまでの間の初期処理に必要なパラメータを渡すハード線２０が設けられている。
【００３３】
次に、以上のように構成されたベースバンドＬＳＩ１０の動作について説明する。
図３はベースバンドＬＳＩにおける間欠受信の動作を示すフローチャート、図４は間欠受信動作の制御タイミングを示すタイミングチャートである。
【００３４】
まず、ベースバンドＬＳＩ１０は、待ち受け状態では、電源グループＡのＣＰＵ１１およびタイマ部１２が常時動作をし、タイマ部１２が電源スイッチ１７に対してたとえば１．２秒毎に間欠受信のため制御信号を出力する。
【００３５】
ここで、電源グループＢ，Ｃの電源がオフになっていてモデム部のモデムハードウェア部１３およびモデムプロセッサ部１４、チャネルコーデック部のチャネルコーデックハードウェア部１５およびチャネルコーデックプロセッサ部１６がスリープ状態にあるとする（ステップＳ２１）。
【００３６】
タイマ部１２からの制御信号によって電源スイッチ１７がオンされると、電源グループＢの電源がオンされ、モデムハードウェア部１３およびモデムプロセッサ部１４がスリープ解除される（ステップＳ２２）。次に、モデムハードウェア部１３は、受信部１９で受信された呼び出しインジケータチャネルＰＩＣＨを入力し、ＰＩＣＨ復調部１３ａで復調する（ステップＳ２３）。この復調された呼び出しインジケータチャネルＰＩＣＨをもとにモデムプロセッサ部１４の着信判定部１４ａが自群着信があるかどうかを判定する（ステップＳ２４）。ここで、自群着信がなければ、タイマ部１２からの制御信号によって電源スイッチ１７がオフされ、電源グループＢはスリープ状態になる。つまり、自群着信がない場合には、図４に示したように、電源ブロックＣが電源オンされることなく、電源グループＢだけの動作となる。
【００３７】
着信判定部１４ａによる判定にて、自群着信があると判定されると、着信判定部１４ａは、電源スイッチ１８をオンしてチャネルコーデック部を起動する（ステップＳ２５）。つまり、図４に示したように、電源グループＣは、電源グループＢのモデム部による着信判定で自群着信を確認して初めて電源がオンされることになる。電源グループＣの電源がオンされることにより、チャネルコーデック部に対するリセットが解除され、チャネルコーデックハードウェア部１５およびチャネルコーデックプロセッサ部１６の電源がオンされる（ステップＳ２６，２７）。これにより、チャネルコーデックハードウェア部１５およびチャネルコーデックプロセッサ部１６のスリープが解除され（ステップＳ２８）、チャネルコーデックプロセッサ部１６はブート処理を開始する（ステップＳ２９）。
【００３８】
一方、モデム部はチャネルコーデック部の起動後、受信部１９で受信された呼び出しチャネルＰＣＨを入力し、ＰＣＨ復調部１３ｂで復調する（ステップＳ３０）。次に、復調された呼び出しチャネルＰＣＨのデータとチャネルコーデックハードウェア部１５の呼び出しチャネルＰＣＨの初期処理に必要なパラメータとをハード線２０を介してチャネルコーデックハードウェア部１５へ転送する。チャネルコーデックハードウェア部１５は、モデム部から転送された呼び出しチャネルＰＣＨのデータおよびパラメータを受けて格納し、これらを用いてインタリーブ処理などの呼び出しチャネルＰＣＨデータの初期処理を行う（ステップＳ３１）。その間に、チャネルコーデックプロセッサ部１６はブート処理を完了し、復号パラメータの設定を行う（ステップＳ３２）。チャネルコーデックハードウェア部１５は、チャネルコーデックプロセッサ部１６が設定した復号パラメータを使って呼び出しチャネルＰＣＨの残りの処理である復号処理を行う（ステップＳ３３）。
【００３９】
以上の間欠受信の動作において、チャネルコーデックハードウェア部１５は、スリープ解除後の呼び出しチャネルＰＣＨの処理を、モデム部から渡されたパラメータによる前半の処理と、チャネルコーデックプロセッサ部１６との協調動作による後半の処理とに分けて行っている。以下、この処理について詳細に説明する。
【００４０】
図５はモデム部とチャネルコーデック部との間のパラメータインタフェースの構成例を示す図、図６はモデム部とチャネルコーデック部との間の処理タイミングを示す図である。
【００４１】
モデム部のモデムハードウェア部１３には、呼び出しチャネル受信用パラメータ格納レジスタ２１を備え、この呼び出しチャネル受信用パラメータ格納レジスタ２１は、バス２２を介してモデムプロセッサ部１４に接続されている。チャネルコーデック部のチャネルコーデックハードウェア部１５は、パラメータ設定レジスタ２３、パラメータ参照先設定レジスタ２４、インタフェースレジスタ２５およびセレクタ２６の機能を備え、パラメータ設定レジスタ２３、パラメータ参照先設定レジスタ２４およびインタフェースレジスタ２５は、バス２７を介してチャネルコーデックプロセッサ部１６に接続されている。セレクタ２６は、パラメータ参照先設定レジスタ２４の指示に基づいて、モデムハードウェア部１３の呼び出しチャネル受信用パラメータ格納レジスタ２１に格納されているパラメータかチャネルコーデックハードウェア部１５のパラメータ設定レジスタ２３に格納されているパラメータかを選択する。セレクタ２６で選択されたパラメータは、呼び出しチャネルＰＣＨのインタリーブなどの処理に用いられる。チャネルコーデックプロセッサ部１６からインタフェースレジスタ２５に格納されたデータは、呼び出しチャネルＰＣＨの復号処理などに用いられる。
【００４２】
この構成は、チャネルコーデック部にて、チャネルコーデックハードウェア部１５に加え、チャネルコーデックプロセッサ部１６も同じ電源グループＣに入れて電源を制御するようにしたことによる。このため、チャネルコーデックプロセッサ部１６は、電源をオンにした直後にプログラムデータやテーブルデータを初期化するためのブート処理を行う必要があり、呼び出しインジケータチャネルＰＩＣＨを判定してから関連する呼び出しチャネルＰＣＨを受信するまでの間（約２ミリ秒弱）に復帰できない場合がある。このような場合に備えて、チャネルコーデックプロセッサ部１６のサポートを必要としないでチャネルコーデックハードウェア部１５単体で処理を開始できる必要最低限のパラメータ、たとえば呼び出しチャネルＰＣＨのデータフォーマットに関連するパラメータだけをすでに電源オンしているモデム部からハード線２０で渡してもらい、チャネルコーデックハードウェア部１５が先にインタリーブなど呼び出しチャネルＰＣＨのデータを処理できるようにしている。
【００４３】
次に、自群着信があった場合のパラメータを用いたモデム部とチャネルコーデック部の動作の流れについて説明する。
まず、電源グループＢがスリープ解除された後、受信データに呼び出しインジケータチャネルＰＩＣＨがあると、モデムハードウェア部１３は、呼び出しインジケータチャネルＰＩＣＨの復調処理を行い、その後、モデムプロセッサ部１４が自群着信判定を行う。ここで、自群着信があった場合は、電源グループＣの電源がオンされ、これにより、チャネルコーデックプロセッサ部１６はブート処理を開始する。このとき、パラメータ参照先設定レジスタ２４は、電源オンによるリセット解除後、レジスタ初期値として、セレクタ２６がモデム部からのパラメータを選択するようにしておく。
【００４４】
一方、モデムハードウェア部１３は、呼び出しインジケータチャネルＰＩＣＨに引き続いて受信した呼び出しチャネルＰＣＨを復調し、その復調データを呼び出しチャネルＰＣＨのデータ処理に必要なパラメータとともにチャネルコーデックハードウェア部１５に渡す。チャネルコーデックハードウェア部１５は、モデム部からのパラメータで呼び出しチャネルＰＣＨのデータ処理（前半の処理）を行う。その後の復号処理やＣＲＣ（Cyclic Redundancy Check）ビットの処理は、チャネルコーデックプロセッサ部１６のサポートなしでは処理が困難なため、モデム部からのパラメータによる前半の処理が終わったらインタリーブ処理で使用したインタリーブメモリにデータを格納しておき、チャネルコーデックプロセッサ部１６のブート処理が完了するのを待つ。
【００４５】
チャネルコーデックプロセッサ部１６は、ブート処理を完了すると、呼び出しチャネルＰＣＨの復号処理のサポートを開始し、パラメータ設定レジスタ２３にパラメータを設定し、パラメータ参照先設定レジスタ２４を使ってセレクタ２６をパラメータ設定レジスタ２３の側に切り替える。これにより、チャネルコーデックハードウェア部１５は、チャネルコーデックプロセッサ部１６との協調動作により、パラメータ設定レジスタ２３のパラメータを使って呼び出しチャネルＰＣＨの後半の処理を行う。
【００４６】
このように、チャネルコーデックハードウェア部１５では、電源オン後（リセット解除後）の初期状態としてモデム部からのパラメータを参照するようにしておき、チャネルコーデックプロセッサ部１６がブート処理を完了して復帰した後は、チャネルコーデックプロセッサ部１６からのパラメータを参照できるように切り替え可能な構成にしたことで、以降の呼び出しチャネルＰＣＨ以外のチャネルデータに対しても対応できるようにする。また、間欠受信以外の電源オン時でも、チャネルコーデックプロセッサ部１６がブート処理完了後にパラメータ参照先設定レジスタ２４の設定を切り替えることで通常どおり処理を行うことができる。
【００４７】
図７は第２の実施の形態に係るベースバンドＬＳＩの要部構成例を示すブロック図である。この図７において、図２に示した構成要素と同じ構成要素に関しては同じ符号を付してその詳細な説明は省略する。
【００４８】
この第２の実施の形態では、電源グループＢ，Ｃの電源スイッチ１７，１８をベースバンドＬＳＩ１０の内部に設けてある。これ以外のベースバンドＬＳＩ１０の構成は、第１の実施の形態の構成と同じであり、動作も同じである。
【００４９】
電源スイッチ１７，１８は、これらをベースバンドＬＳＩ１０の内部に設ける場合、高しきい値のトランジスタを使用することで実現することができる。
【００５０】
図８は電源スイッチの例を示す図である。
電源スイッチ３０は、高しきい値のトランジスタ３１とレベルコンバータ３２とを備えている。レベルコンバータ３２は、別の電源グループ（タイマ部１２、着信判定部１４ａ）で発生した０〜０．９ボルトの制御信号を入力して、回路動作用の低電圧電源である０．９ボルトの電圧と、電源スイッチ制御用の高電圧電源である３．３ボルトの電圧とを生成する。この高電圧電源は、同じ電源グループの他のブロックに接続される電源スイッチの制御に使用される。
【００５１】
０．９ボルトの低電圧電源は、トランジスタ３１のドレイン端子に接続され、３．３ボルトの高電圧電源は、レベルコンバータ３２の中でトランジスタ３１のゲート端子に接続され、トランジスタ３１のソース端子は、電源制御されるブロックの内部電源ラインに接続されている。
【００５２】
次に、以上の構成の電源スイッチ３０において、そのスイッチングの手順を説明する。
まず、この電源スイッチ３０で制御される電源グループとは別の電源グループの内部回路で発生された制御信号によりレベルコンバータ３２にほぼ０ボルトの電圧が印加されている場合、レベルコンバータ３２はレベル変換をすることができないので、トランジスタ３１は、そのゲート電圧が０ボルトとなって遮断状態になるので、電源スイッチ３０はオフとなる。
【００５３】
次に、制御信号として０．９ボルトの電圧がレベルコンバータ３２に印加されると、このレベルコンバータ３２は、印加された０．９ボルトの電圧を３．３ボルトの電圧に変換し、出力する。この３．３ボルトの電圧がトランジスタのゲート端子に印加され、レベルコンバータ３２から出力された０．９ボルトの電圧がトランジスタ３１のドレイン端子に印加されることにより、トランジスタ３１は、導通状態となり、電源スイッチ３０はオンとなって、内部回路の電源がオン状態になる。
【００５４】
（付記１）  段階的に順次処理が行なわれていく複数のブロックを搭載した半導体装置において、
前記複数のブロックは、電源が常時オンになっている非制御電源グループと、それぞれ単独に電源がオン・オフできる複数の制御電源グループとにグループ分けされた電源系統を備え、
前記非制御電源グループは、少なくとも１つの前記制御電源グループの電源系統をオンおよびオフさせるタイミングを制御する電源系統制御手段を有し、
最終段を除く前記制御電源グループのそれぞれは、自己の制御電源グループ内で処理された結果に従って次段への処理が必要かどうかを判断する次処理要否判断手段を有している、
ことを特徴とする半導体装置。
【００５５】
（付記２）  前記電源系統制御手段からの制御信号によって少なくとも１つの前記制御電源グループの電源系統をオンまたはオフさせる第１の電源スイッチ手段を備えていることを特徴とする付記１記載の半導体装置。
【００５６】
（付記３）  前段の前記制御電源グループ内の前記次処理要求判断手段からの制御信号によって次段の前記制御電源グループの電源系統をオンまたはオフさせる複数の第２の電源スイッチ手段を備えていることを特徴とする付記１記載の半導体装置。
【００５７】
（付記４）  前記電源系統制御手段からの制御信号によって少なくとも１つの前記制御電源グループの電源系統をオンまたはオフさせる第１の電源スイッチ手段および前段の前記制御電源グループ内の前記次処理要求判断手段からの制御信号によって次段の前記制御電源グループの電源系統をオンまたはオフさせる複数の第２の電源スイッチ手段を備えていることを特徴とする付記１記載の半導体装置。
【００５８】
（付記５）  前記第１および第２の電源スイッチ手段は、ＭＴ−ＣＭＯＳで構成したことを特徴とする付記４記載の半導体装置。
（付記６）  待ち受け状態における間欠受信時以外の期間、間欠受信制御処理に不要なブロックの電源をオフするようにした携帯端末装置において、
電源が常時オンになっている非制御電源グループに属し、自群着信判定に必要な第１のブロックを含む第１の制御電源グループの電源を間欠受信動作時にオンし、間欠受信動作以外のときにオフさせるような第１の制御信号を出力するタイマ手段と、
前記タイマ手段からの前記第１の制御信号によって前記第１の制御電源グループの電源をオン・オフ制御する第１の電源スイッチ手段と、
前記第１の制御電源グループに属し、前記第１のブロックにより自群着信が発生したかどうかを判定した結果に応じて着信処理に必要な第２のブロックを含む第２の制御電源グループの電源をオン・オフさせるような第２の制御信号を出力する着信判定手段と、
前記着信判定手段からの前記第２の制御信号によって前記第２の制御電源グループの電源をオン・オフ制御する第２の電源スイッチ手段と、
を備えていることを特徴とする携帯端末装置。
【００５９】
（付記７）  前記非制御電源グループ、前記第１の制御電源グループ、前記第２の制御電源グループ、前記第１の電源スイッチ手段および前記第２の電源スイッチ手段は、広帯域符号分割多元接続用ベースバンド大規模集積回路に含まれていることを特徴とする付記６記載の携帯端末装置。
【００６０】
（付記８）  前記第１のブロックは、受信データを復調処理するモデム部であることを特徴とする付記６記載の携帯端末装置。
（付記９）  前記第２のブロックは、前記モデム部で復調されたデータを復号処理するチャネルコーデック部であることを特徴とする付記８記載の携帯端末装置。
【００６１】
（付記１０）  前記第２のブロックは、前記チャネルコーデック部とともに協調動作をするプロセッサを含んでいることを特徴とする付記９記載の携帯端末装置。
（付記１１）  前記チャネルコーデック部は、前記第２の制御電源グループの電源オン後の前記プロセッサのブート処理中に前記モデム部で用意されたデータ受信用のパラメータを参照し、前記プロセッサのブート処理完了後に前記プロセッサからのパラメータを参照するように切り替えるパラメータ選択手段を備えていることを特徴とする付記１０記載の携帯端末装置。
【００６２】
（付記１２）  前記パラメータ選択手段は、前記チャネルコーデック部での処理に必要な前記プロセッサからのパラメータを格納するパラメータ設定レジスタと、前記モデム部のパラメータを参照するか前記パラメータ設定レジスタのパラメータを参照するかを選択するセレクタ部と、前記セレクタ部の参照先を制御するパラメータ参照先設定部とを有することを特徴とする付記１１記載の携帯端末装置。
【図面の簡単な説明】
【００６３】
【図１】本実施の形態の携帯端末装置に用いられる半導体装置の概略の構成を示す図である。
【図２】第１の実施の形態に係るベースバンドＬＳＩの要部構成例を示すブロック図である。
【図３】ベースバンドＬＳＩにおける間欠受信の動作を示すフローチャートである。
【図４】間欠受信動作の制御タイミングを示すタイミングチャートである。
【図５】モデム部とチャネルコーデック部との間のパラメータインタフェースの構成例を示す図である。
【図６】モデム部とチャネルコーデック部との間の処理タイミングを示す図である。
【図７】第２の実施の形態に係るベースバンドＬＳＩの要部構成例を示すブロック図である。
【図８】ＭＴ−ＣＭＯＳの電源スイッチの例を示す図である。
【図９】Ｗ−ＣＤＭＡ通信方式における間欠受信の動作を示すフローチャートである。
【図１０】間欠受信動作の制御タイミングを示すタイミングチャートである。
【符号の説明】
【００６４】
１  半導体装置
２  非制御電源グループ
３1〜３n  制御電源グループ
４  ＣＰＵ
５  電源系統制御手段
６1〜６n  第１〜第ｎの処理手段
７1〜７n-1  第１〜第ｎ−１の次処理要否判断手段
８1〜８n  第１〜第ｎの電源スイッチ手段
１０  ベースバンドＬＳＩ
１１  ＣＰＵ
１２  タイマ部
１３  モデムハードウェア部
１３ａ  ＰＩＣＨ復調部
１３ｂ  ＰＣＨ復調部
１４  モデムプロセッサ部
１４ａ  着信判定部
１５  チャネルコーデックハードウェア部
１５ａ  ＰＣＨ復号部
１６  チャネルコーデックプロセッサ部
１７，１８    電源スイッチ
１９  受信部
２０  ハード線
２１  呼び出しチャネル受信用パラメータ格納レジスタ
２２  バス
２３  パラメータ設定レジスタ
２４  パラメータ参照先設定レジスタ
２５  インタフェースレジスタ
２６  セレクタ
２７  バス
３０  電源スイッチ
３１  トランジスタ
３２  レベルコンバータ
【図１】
0004476303.tif 000002
【図２】
0004476303.tif 000003
【図３】
0004476303.tif 000004
【図４】
0004476303.tif 000005
【図５】
0004476303.tif 000006
【図６】
0004476303.tif 000007
【図７】
0004476303.tif 000008
【図８】
0004476303.tif 000009
【図９】
0004476303.tif 000010
【図１０】
0004476303.tif 000011